【手続補正書】
【提出日】平成17年8月24日(2005.8.24)
【手続補正１】
【補正対象書類名】明細書
【補正対象項目名】全文
【補正方法】変更
【補正の内容】
【書類名】      明細書
【発明の名称】  メダル送り出し装置
【特許請求の範囲】
【請求項１】  投入されたメダルが通過することのできる開口部を底部に設けたメダル受け部と、前記メダル受け部の下側に設けられ、前記開口部からメダルを受けてこれを搬送するベルトと、前記メダル受け部と前記ベルトの間に設けられ、複数のメダルが重なっている場合に該複数のメダルを分離することのできる分離手段とを備えているメダル送り出し装置において、
前記分離手段は、前記ベルト面と略平行に設けられたローラを備え、
前記ローラは２つ設けられ、これらのローラの軸方向は互いに交差して、平面視において両ローラは「く」の字型を形成するとともに、「く」の字型の折れ曲がり部分が他の部分よりも搬送方向の下流側に位置するように配置され、両ローラはメダルを搬送方向とは逆送する方向に回転していることを特徴とするメダル送り出し装置。
【請求項２】
前記メダル受け部の底部の開口部は、複数のメダルが同時に通過できるものであることを特徴とする請求項１記載のメダル送り出し装置。
【発明の詳細な説明】
【０００１】
【発明の属する技術分野】
この発明は、スロットマシンを含む遊技機などで用いられるメダルの送り出し装置に関する。
【０００２】
【従来の技術】
スロットマシン等の遊技機にはメダルの投入口が設けられている。遊技者は所定の枚数のメダルを投入してゲームを楽しむことができる。
【０００３】
【発明が解決しようとする課題】
従来の遊技機ではメダルを一枚づつ投入していった。これでは一度に多数のメダルを投入するときに手間がかかり不便である。しかし、一度に多数のメダルを投入できるようにすると、メダルが投入口あるいは排出口で詰まるという問題があった。また、回転型ホッパをメダル投入口に設けると水平方向に大きなスペースが必要という問題があった。
【０００４】
そこで、本発明は、メダルを一度に投入することを可能にするとともに、メダルを確実に送り出すことができるメダル送り出し装置を提供することを目的とする。
【０００５】
【課題を解決するための手段】
本発明に係るメダル送り出し装置は、投入されたメダルが通過することのできる開口部を底部に設けたメダル受け部と、前記メダル受け部の下側に設けられ、前記開口部からメダルを受けてこれを搬送するベルトと、前記メダル受け部と前記ベルトの間に設けられ、複数のメダルが重なっている場合に該複数のメダルを分離することのできる分離手段とを備えている。そして、前記分離手段は、前記ベルト面と略平行に設けられたローラを備えている。そして、前記ローラは２つ設けられ、これらのローラの軸方向は互いに交差して、平面視において両ローラは「く」の字型を形成するとともに、「く」の字型の折れ曲がり部分が他の部分よりも搬送方向の下流側に位置するように配置されている。そして、両ローラはメダルを搬送方向とは逆送する方向に回転していることを特徴とする。
【０００６】
好ましくは、前記分離手段は、複数のメダルが重なっている場合に該複数のメダルの一部を分離する前段の分離手段と、前記前段の分離手段から送られたメダルが重なっている場合に該メダルを分離する後段の分離手段とを含む。
【０００７】
好ましくは、前記メダル受け部の底部の開口部は、複数のメダルが同時に通過できるものである。
【０００８】
好ましくは、前記ローラの表面に突起が設けられている。
【０００９】
さらに、前記ベルトの終端に設けられ、搬送されたメダルを所定の方向に誘導するメダルガイドを備えるようにしてもよい。
【００１０】
さらに、前記ベルトの上に設けられ、前記メダル受け部から投入されたメダルを前記ベルト上に誘導する第２のメダルガイドを備えるようにしてもよい。
【００１１】
さらに、前記メダルが前記分離手段を通過する前に、前記ベルト上のメダルを振動させる振動手段が設けられていてもよい。
【００１２】
好ましくは、前記振動手段は、前記ベルトを振動させて、前記メダルを振動させる。
【００１３】
好ましくは、前記振動手段は、前記ベルトの表面に対して垂直方向に振動させる。
【００１４】
好ましくは、前記振動手段は、前記ベルトと接し、かつ、突起部を有する回転体により構成されている。
【００１５】
好ましくは、前記回転体は、前記ベルトの動きに追従して回転する。なお、回転体がベルトの動きに追従して回転するとは、回転体がベルトの応力を受けて回転することをいう。
【００１６】
好ましくは、前記回転体は、駆動部により回転される。
【００１７】
さらに、前記分離手段より前記メダル受け部側において、前記メダルを前記分離手段と前記ベルトとの間に案内する案内部が設けられていてもよい。
【００１８】
好ましくは、前記案内部の案内面は、前記分離手段に近づくにつれて、前記ベルトに向かって傾斜している。
【００１９】
好ましくは、前記案内部は、板状である。
【００２０】
【発明の実施の形態】
以下、本発明に係る実施の形態と、本発明を理解するための参考例としての形態とをより具体的に説明する。
【００２１】
発明を理解するための参考例としての形態１．
【００２２】
発明を理解するための参考例としての形態に係るメダル送り出し装置について図面を参照して詳細に説明を加える。
【００２３】
図１は発明を理解するための参考例としての形態に係るメダル送り出し装置の概要を示す図である。図１（ａ）は断面図、図１（ｂ）は斜視図である。図１（ａ）（ｂ）において駆動機構の表示を省略している。図１（ｂ）において、メダル受け部１及び第２のメダルガイド５の表示を省略している。
【００２４】
図１（ａ）（ｂ）において、１は投入されたメダルが通過する開口部Ａが底部に設けられ、投入されたメダルを開口部Ａに案内する、例えば漏斗状の形状を有するメダル受け部、２は前記メダル受け部１の下側に設けられ、前記開口部Ａからメダルを受けてこれを搬送するベルト、３は前記メダル受け部１と前記ベルト２の間に設けられ、投入された複数のメダルが重なっている場合に、その複数のメダルを分離するためのローラである。ローラ３は前記ベルト２と略平行に設けられている。ローラ３とベルト２の間には隙間ｂが設けられている。この隙間ｂは、メダルを１枚ずつ搬送するときはメダル１枚の厚さよりも多少広く、メダル２枚分の厚さより狭くなっている。この場合、ベルト２によりメダルが１枚ずつ搬送される。隙間ｂの大きさは搬送するメダルの厚さ及び搬送枚数に応じて定められる。
図中に矢印で示すように、隙間ｂにおいて、ローラ３は前記ベルト２の搬送方向と逆方向に動く。より詳しくは、ローラ３は、該ローラ３のベルト２の搬送方向に対向する側が、ローラ３に対向するベルト２の面の搬送方向とは逆方向に移動するように回転する。ローラ３がベルト２の搬送方向と逆方向に動くとは、このようなことをいう。
【００２５】
４は前記ベルト２の終端に設けられ、搬送されたメダルを所定の方向に誘導するメダルガイドである。５は、前記ベルト２の上に設けられ、前記メダル受け部１から投入されたメダルを前記ベルト２上に誘導する第２のメダルガイドである。６はベルト２を駆動するためのローラである。
【００２６】
図２は、図１のメダル送り出し装置１００を遊技機（スロットマシン）に適用した例を示す。メダル送り出し装置１００により投入されたメダルをメダルセレクタやホッパー等に送ることができる。
【００２７】
スロットマシン１０は、図２に示すように、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４０の図柄６１を見ることができる図柄表示窓１３が形成されている。ベットスイッチ１６は、回転リール４０の下方に位置するスイッチであって、投入されたメダル数を記憶した数値からベットスイッチ操作によりベットした（賭けた）メダル数を減じてメダル投入に代える。精算スイッチ１７は、回転リールの斜め下方に位置するスイッチであって、投入されたメダル数を記憶した数値（ベットによって減算されている場合はその減算された数値に相当する枚数の投入メダルを払い出す。スタートスイッチ３０は回転リール４０の斜め下方に位置するレバーであって、遊技メダルの投入若しくはベットスイッチ１６の投入を条件に、リールユニット６０の駆動を開始させる。ストップスイッチ５０は、リールユニット６０の駆動を停止させるためのものである。リールユニット６０は、三個の回転リール４０とから構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。
【００２８】
図３はメダル送り出し装置１００を斜め上から見た状態を示す。１０１はスタート／ストップスイッチである。このスイッチ１０１を操作することによりメダル送り出し装置１００が動作／停止する。なお、メダルの有無を検出するセンサを設けて装置の動作／停止を自動的に行うようにしてもよい。遊戯者は多数のメダルをメダル受け部１に投入すると、メダルは、例えば漏斗状の形状を有するメダル受け部１の斜面を滑って開口部Ａに到達し、そこからベルト２上に落下する。開口部Ａの大きさは複数のメダルが容易に落下する程度に、やや大きめになっている。したがって、１、２枚程度のメダルを投入したときはもちろん、多数のメダルを同時に投入したときでも何枚かは確実にベルト２に落下し、搬送される。後述のように、開口部Ａを通って複数のメダルがベルト２に落下してもメダルは１枚ずつ搬送される（メダルセレクタにおいてメダルを検査・選別したり、枚数を計数するために、メダルは１枚ずつ搬送されることが望ましい）。なお、メダル受け部１は着脱可能としてもよい。
【００２９】
図４はメダル受け部１を外してメダル送り出し装置１００の内部を見た図である。ベルト２、ローラ３、第２のメダルガイド５が２枚のフレーム９の間に取りつけられている。メダル受け部１の開口部Ａを通ったメダルは図４で示されるベルト２の部分に落下する。図４において、３ａはローラ３の回転軸に設けられたプーリー、６ａはベルト用ローラの回転軸に設けられたプーリー、８はモーター軸、７はプーリー３ａ，６ａとモーター軸８の間に設けられたプーリー（遊輪）、Ｂは図示しないモーターの動力をローラ３及びベルト用ローラ６に伝達するベルトである。
【００３０】
図５はメダル送り出し装置１００を背面から見た図である。２枚のフレーム９はスペーサＳにより保持されている。メダルガイド４はネジでスロットマシン本体に固定されている。
【００３１】
次に、上述したメダル送り出し装置の動作について説明する。図６〜図８は１枚のメダルＭが投入された場合を示す。図６において、メダル受け部１の開口部Ａを通ったメダルＭはベルト２上に落下する。ベルト２は矢印の方向に動いているので、メダルＭの先端も同じ方向に移動する。そして、図７に示すようにメダルＭの他端もベルト２上に落下する。ベルト２とローラ３の隙間はメダル１枚の厚さよりも広いので、メダルＭはベルト２により搬送され、ベルト２の端部に到達する。そして、図８に示すようにメダルＭはベルト２の端部からメダルガイド４に沿って落下する。そして、図示しないメダルセレクタに導かれる。
【００３２】
図９は複数（２枚）のメダルＭ、Ｍ’が投入された場合を示す。下側のメダルＭは図６〜図８と同じように搬送されるが、メダルＭ’はベルト２に接触しない。代わりに上側のメダルＭ’はローラ３に接触し、やや上に持ち上げられるとともに矢印の方向に押し戻される。メダルＭ’は、メダルＭが搬送される間、開口部Ａ内にある。このようにメダルＭ’はメダルＭと分離される。メダルＭが搬送されると、メダルＭ’は少し落下して図６のメダルＭと同じ状態になる。そして、メダルＭ’も同様に搬送される。
【００３３】
ローラ３がない場合について考えてみる。メダルが２枚重なった場合に投入されると、そのままベルト２により搬送されてしまう。これではメダルセレクタにおいてメダルが詰まるおそれがある。ローラ３の代わりに板を用いてメダル１枚分の隙間を設ける場合について考えてみる。メダルが２枚重なった場合に投入されると、２枚一緒にベルトで搬送される。すると隙間部分でメダルが詰まるおそれがある。したがって、複数のメダルが同時に投入されたときメダル詰まりを起こすことなくメダルを１枚ずつ搬送するためには、例えば、ローラ３を設けることが望ましい。
発明を理解するための参考例としての形態２．
【００３４】
上記発明を理解するための参考例としての形態１においてローラ３の回転軸はベルト用ローラ６の回転軸と平行であった。これに限らず、ローラ３の回転軸をベルト用ローラ６の回転軸と斜めに交差するように配置してもよい。また、ローラ３を２つに分け、ローラ３ａと３ｂとから構成するようにしてもよい。この例を図１０に示す。図１０において、２つのローラ３ａ，３ｂは同軸で設けられていて、同じ方向に回転する。各ローラ３ａ，３ｂとベルト２との間の間隔はほぼ一定であり、この間隔は発明の実施の形態１の場合と同様にメダルＭの１枚分の厚み程度である。なお、ローラの数は２つに限定されず、これ以上の数（＝３，４，・・・）であってもよい。
発明の実施の形態３．
【００３５】
上記発明を理解するための参考例としての形態２において２つのローラ３ａ，３ｂは同軸で設けられていた。これに限らず、ローラ３ａの回転軸とローラ３ｂの回転軸を交差させるように配置してもよい。この例を図１１に示す。図１１において、２つのローラ３ａ，３ｂの回転軸は互いに交差し、同じ方向に回転する。そして、２つのローラ３ａ，３ｂは、図１１に示すように、メダルを搬送方向とは逆送する方向に回転している。図１１（ａ）の平面図を見ればわかるように、ローラ３ａ，３ｂは平面視において「く」の字型に配列されている。図１１（ａ）において、「く」の字型の折れ曲がり部分が、他の部分より搬送方向の下流側に位置するように配置され、すなわち「く」の字はメダルの搬送方向を向いているが、反対方向を向いていてもよい。各ローラ３ａ，３ｂとベルト２との間の間隔はほぼ一定であり、この間隔は発明を理解するための参考例としての形態１の場合と同様にメダルＭの１枚分の厚み程度である。なお、ローラの数は２つに限定されず、これ以上の数（＝３，４，・・・）であってもよい。
発明を理解するための参考例としての形態４．
【００３６】
上記形態１〜３は、メダルの分離手段として１段のローラ３を用いていた。これに限らず、複数のローラを用いてメダル分離手段を多段に構成してもよい。この例を図１２に示す。図１２において、ローラ３−１は形態１のローラに相当する（形態２または３のローラに相当する）。ローラ３−２は、ローラ３−１の前段に設けられた第２のローラである。ベルト２によりメダルが１枚ずつ搬送されるように、ローラ３−１とベルト２の間には、メダル１枚の厚さよりも多少広く、メダル２枚分の厚さより狭い隙間ｂが設けられている。これに対して、ローラ３−２とベルト２の間には、メダル２枚の厚さよりも多少広く、メダル３枚分の厚さより狭い隙間ｂ’が設けられている。
【００３７】
多数のメダルが同時に投入されて３枚以上のメダルが重なったとき、ローラ３−２が３枚以上のメダルを排除する。したがって、ローラ３−１にはせいぜい２枚重なったメダルが送られる。ローラ３−１は重なったメダルのうち上のほうを容易に排除できる。すなわち、多数のメダルが重なった場合でも、前段のローラ３−２がメダルの重なりを最大２枚までに減らし、後段のローラ３−２がこれを１枚ずつに分離する。このように分離手段を多段構成することにより多数のメダルが重なった場合でも確実にメダルを１枚ずつに分離できる。
なお、前段の分離手段はローラに限定されない。例えば、後述の分離手段を適用できる。
発明を理解するための参考例としての形態５．
【００３８】
ローラ３の表面に突起を設けてもよい。突起を設けることにより上に載ったメダルを確実に押し戻すことができる。この例を図１３に示す。図１３において、ローラ３には突起３’が設けられている。ローラ３の断面形状は概ね星型をしている。突起３’は直線状ではなく、いわばねじれた状態でローラ３上に配置されている。これは、突起３’がベルト２上を搬送される多数のメダルと同時に接触するとローラ３の駆動部に負荷がかかるのでそれを避けるためである。なお、突起３’は図１３の形状に限定されない。例えば、棒状あるいは凸部がローラ３上に散在するものであってもよい。
【００３９】
あるいは反対にローラ３の表面に溝を設けるなどして、凹みを設けるようにしてもよい。このように得られた表面もここでいう突起に含まれる。
発明を理解するための参考例としての形態６．
【００４０】
上記形態１〜３及び５は、メダルの分離手段としてローラを用いていた。本形態はこれらに限定されない。例えば、回転板（円盤）を用いたものでもよい。この例を図１４に示す。図１４において、ベルト２上に所定の間隔ｂを空けて回転板１０ａ，１０ｂが設けられている。これら回転板１０ａ，１０ｂが分離手段を構成する。回転板１０ａ，１０ｂの回転面はベルト２と略平行であり、回転板１０ａ，１０ｂとベルト２の間の隙間ｂをメダルＭが通過する。隙間ｂは形態１の場合と同様に設定されている。２つの回転板１０ａ，１０ｂは互いに逆回転している。ベルト２上を搬送されてきたメダル（重なったもののうち上の方）は回転板１０ａ，１０ｂの両方あるいは一方と接触し、ベルト２の外側の方に押し戻される。なお、メダルを回転板１０ａ，１０ｂの間に巻き込まないようにするために、図１４（ａ）に示す回転方向が望ましい。
【００４１】
この形態は、回転板１０の縁１０−１でメダルを押し戻すものである。図１４（ｂ）において、縁１０−１はベルト２に対して垂直（回転板１０が円柱状）であるが、これに限定されない。例えば、点線１０−２で示すように回転板１０の下側の直径を小さく、上側の直径を大きくして縁を傾斜させてもよい。逆に、点線１０−３で示すように回転板１０の下側の直径を大きく、上側の直径を小さくして縁を傾斜させてもよい。
発明を理解するための参考例としての形態７．
【００４２】
上記形態１〜３及び５は、メダルの分離手段としてローラを用いていた。本形態はこれらに限定されない。例えば、棒状の阻止部を用いたものでもよい。この例を図１５に示す。図１５において、棒状の阻止部１１ａがベルト２上に所定の間隔を空けて設けられている。阻止部１１ａの底面はベルト２の表面と略平行である。阻止部１１ａの上側には遮蔽部１１ｂが設けられている。阻止部１１ａと遮蔽部１１ｂが分離部を構成する。阻止部１１ａが重なったメダルのうち上の方を押し返す。遮蔽部１１ｂは押し返したメダルがその反動で阻止部１１ａを乗り越えることを防止するためのものである。
発明を理解するための参考例としての形態８．
【００４３】
上記阻止部は図１６に示すような断面形状のものでもよい。図１６（ａ）に示されるように、この阻止部１２は、先端が尖った爪部１２ａを備える。爪部１２ａは重なったメダルの間に割り込んで、上のメダルをすくいあげて分離するとともに、これを阻止部１２本体が押し戻す。
発明を理解するための参考例としての形態９．
【００４４】
上記阻止部は図１７に示すような断面形状のものでもよい。図１７（ａ）に示されるように、この阻止部１３は、突起１３ａを備えるとともに軸１３ｂを中心に回転可能に構成されている。突起１３ａを含む阻止部１３はベルト２の搬送方向と反対側（図１７（ａ）の軸１３ｂ周りの矢印の方向）に付勢されている。通常の状態において、図１７（ａ）の実線で示すように突起１３ａは下を向いている（突起１３ａとベルト２の間隔が最小である）。メダルが重なった状態で搬送されると、上の方のメダルが突起１３ａに触れてこれを矢印と反対側に阻止部１３を少し回転させるが、メダルの方は突起１３ａから反力を受けて押し戻される。
【００４５】
阻止部１３を回転可能に構成することにより、メダルが阻止部１３とベルト２の間で詰まることを防止できる。阻止部１３の回転を検出するセンサを設け、阻止部１３が所定角度以上回転したとき処理能力以上のメダルが投入されたと判断して、メダル送り出し装置を停止するようにしてもよい。
発明を理解するための参考例としての形態１０．
【００４６】
阻止部材は直線状（ベルト用ローラ６の回転軸と平行）なものに限定されない。例えば、図１８（ａ）に示すようにベルト２の上から見て円弧状の阻止部材１４であってもよい。図１８（ａ）の形状であればメダルＭをベルト２の中央に集めることができる。
【００４７】
阻止部材に複数の円弧を持たせるようにしてもよい。例えば、図１９（ａ）の阻止部材１５は２つの円弧をもつ。これら円弧はメダルＭの形状及び大きさに対応している。
【００４８】
阻止部材１４，１５の形状を円弧状にすることにより、メダルＭとの接触面積を増やしてこれをしっかりと保持することができる。
発明を理解するための参考例としての形態１１．
【００４９】
図２０に示すように、ベルト２にメダルＭの形状及び／又は大きさに合わせた凹部２ａを設けるとともに、棒状あるいは板状の阻止部材１６を設けるようにしてもよい。凹部２ａの深さはメダルＭの厚み程度である。あるいはこれよりやや薄いあるいはやや深いものである。凹部２ａはメダルＭを１枚ずつしっかりと保持して搬送するためのものである。阻止部材１６の機能は前述の場合と同様であるが、凹部２ａの深さ分だけベルト２と阻止部材１６の間隔は短くなっている。図２０の凹部２ａの形状は円形であるがこれに限定されず、矩形であってもよい。
発明を理解するための参考例としての形態１２．
【００５０】
上記形態に係る分離手段はいずれも物理的な接触によりメダルを分離するものであった。これに対し、図２１は流体を噴出するノズル１７を設け、ここから噴出される流体（例えば空気）により重なったメダルのうち上のメダルを押し戻すようにしてもよい。
発明を理解するための参考例としての形態１３．
【００５１】
図２２に示すように、メダルＭが分離手段３を通過する前に、ベルト２上のメダルＭを振動させる振動手段２０が設けられていてもよい。振動手段２０によってベルト２上のメダルＭを振動させることにより、分離手段３の前段階で、メダルＭが重なっていた場合でも、メダルＭをばらしたり、又は重なり枚数を低減することができる。その結果、分離手段３において、メダルＭがつまるのを確実に防止することができる。
【００５２】
振動手段２０は、たとえば、ベルト２を振動させて、メダルＭを振動させる構成とすることができる。このベルト２の振動は、ベルト２の表面に対して垂直方向に振動させてもよく、または、ベルト２の表面と平行方向に振動させてもよい。ベルト２をその表面に対して垂直方向に振動させる場合には、振動手段２０は、たとえば、ベルト２と接し、かつ、断面形状が多角形（たとえば６角形、８角形）である回転体により構成されることができる。この回転体２０が、図２３（ａ）および図２３（ｂ）に示すようにベルト２の動きに追従して回転（ベルト２の応力を受けて回転）することにより、ベルト２をその表面に対して垂直方向（上下方向）に振動させることができる。その結果、ベルト２を介してメダルＭを上下方向に振動させることができ、メダルＭをばらしたり、又はメダルＭの重なり枚数を低減することができる。したがって、分離手段３とベルト２との間に、メダルＭがつまるのを確実に防止することができる。
【００５３】
なお、駆動部たとえばモーター（図示せず）により、回転体２０をベルト２と同一の回転方向に回転させてもよい。また、回転体２０は、断面形状が多角形のものに限定されず、図２４（ａ）〜図２４（ｃ）に示すように、突起部２２が設けられていればよい。
発明を理解するための参考例としての形態．１４
【００５４】
図２５に示すように、分離手段３よりメダル受け部１側において、メダルＭを分離手段３とベルト２との間に案内する案内部３０を設けてもよい。この案内部３０の案内面３０ａは、分離手段３に近づくにつれて、ベルト２に向かって傾斜していることができる。この案内部３０は、板状であることができる。
【００５５】
このように案内部３０を設けることにより、メダルＭを確実に分離手段３とベルト２との間に導入することができる。
【００５６】
本発明は、以上の形態に限定されることなく、特許請求の範囲に記載された発明の範囲内で、種々の変更が可能であり、それらも本発明の範囲内に包含されるものであることは言うまでもない。
【００５７】
【発明の効果】
以上のように、本発明によれば、メダルを一度に投入することを可能にするとともに、メダルを確実に送り出すことができる。
【図面の簡単な説明】
【図１】発明を理解するための参考例としての形態１に係るメダル送り出し装置の概要図である。図１（ａ）は断面図、図１（ｂ）は斜視図である。
【図２】発明を理解するための参考例としての形態１に係るメダル送り出し装置を遊技機（スロットマシン）に適用した例を示す図である。
【図３】発明を理解するための参考例としての形態１に係るメダル送り出し装置を斜め上から見た状態を示す図である。
【図４】発明を理解するための参考例としての形態１に係るメダル送り出し装置のメダル受け部を外した状態でその内部を見た図である。
【図５】発明を理解するための参考例としての形態１に係るメダル送り出し装置を背面から見た図である。
【図６】発明を理解するための参考例としての形態１に係るメダル送り出し装置の動作説明図である（メダル１枚の場合）。
【図７】発明を理解するための参考例としての形態１に係るメダル送り出し装置の動作説明図である（メダル１枚の場合）（続き）。
【図８】発明を理解するための参考例としての形態１に係るメダル送り出し装置の動作説明図である（メダル１枚の場合）（続き）。
【図９】発明を理解するための参考例としての形態１に係るメダル送り出し装置の動作説明図である（メダル２枚の場合）。
【図１０】発明を理解するための参考例としての形態２に係るメダル送り出し装置の概略図である。
【図１１】発明の実施の形態３に係るメダル送り出し装置の概略図である。
【図１２】発明を理解するための参考例としての形態４に係るメダル送り出し装置の概略図である。
【図１３】発明を理解するための参考例としての形態５に係るメダル送り出し装置の概略図である。
【図１４】発明を理解するための参考例としての形態６に係るメダル送り出し装置の概略図である。
【図１５】発明を理解するための参考例としての形態７に係るメダル送り出し装置の概略図である。
【図１６】発明を理解するための参考例としての形態８に係るメダル送り出し装置の概略図である。
【図１７】発明を理解するための参考例としての形態９に係るメダル送り出し装置の概略図である。
【図１８】発明を理解するための参考例としての形態１０に係るメダル送り出し装置の概略図である。
【図１９】発明を理解するための参考例としての形態１０に係る他のメダル送り出し装置の概略図である。
【図２０】発明を理解するための参考例としての形態１１に係る他のメダル送り出し装置の概略図である。
【図２１】発明を理解するための参考例としての形態１２に係るメダル送り出し装置の概略図である。
【図２２】発明を理解するための参考例としての形態１３に係るメダル送り出し装置の概略図である。
【図２３】発明を理解するための参考例としての形態１３に係るメダル送り出し装置の動作を示す概略図である。
【図２４】発明を理解するための参考例としての形態１３に係るメダル送り出し装置の回転体の変形例を示す概略図である。
【図２５】発明を理解するための参考例としての形態１４に係るメダル送り出し装置の概略図である。
【符号の説明】
１  メダル受け部
２  ベルト
３  ローラ
４  メダルガイド
５  第２のメダルガイド
６  ベルト用ローラ
７  プーリー
８  モーター軸
９  フレーム
１０〜１６  阻止部材
１７  ノズル
２０  振動手段
２２  突起部
３０  案内部
３０ａ  案内面
１００  メダル送り出し装置
１０１  スタート／ストップスイッチ
Ａ  メダル受け部の開口部
Ｂ  ベルト
Ｍ  メダル
Ｓ  スペーサ